【手続補正書】
【提出日】平成17年7月1日(2005.7.1)
【手続補正１】
【補正対象書類名】明細書
【補正対象項目名】発明の名称
【補正方法】変更
【補正の内容】
【発明の名称】ファイル管理方法及び装置及びプログラム
【手続補正２】
【補正対象書類名】明細書
【補正対象項目名】特許請求の範囲
【補正方法】変更
【補正の内容】
【特許請求の範囲】
【請求項１】
ファイルを管理するファイル管理方法において、
予め登録された検索条件を表す名前またはアイコンを指定することにより、前記検索条件に該当するファイルグループを表示ユニットに一覧表示する表示ステップと、
前記表示ステップにおいて一覧表示されたファイルグループ以外のファイルが指定されたことを判断する判断ステップと、
前記判断ステップにおいて指定されたことが判断されたファイルを前記ファイルグループに追加するための条件を前記検索条件に追加記述する制御ステップとを有することを特徴とするファイル管理方法。
【請求項２】
前記判断ステップにおけるファイルの指定は、ファイルに対するドラッグアンドドロップの操作により行われることを特徴とする請求項１記載のファイル管理方法。
【請求項３】
前記表示ステップにおいて、ユーザにより検索条件が追加された場合、前記追加された検索条件を加えて更に絞り込んだファイルグループを一覧表示するとともに、前記ユーザにより追加された検索条件を元々の検索条件を表す名前またはアイコンに関連させて表示することを特徴とする請求項１記載のファイル管理方法。
【請求項４】
ファイルを管理するファイル管理方法において、
予め登録された検索条件を示す名前またはアイコンを指定することにより、前記検索条件に該当するファイルグループを表示ユニットに一覧表示する表示ステップと、
前記表示ステップにおいて一覧表示されたファイルグループの中から少なくとも１つのファイルが指定されたことを判断する判断ステップと、
前記判断ステップにおいて指定されたことが判断されたファイルを前記ファイルグループから除外するための条件を前記検索条件に追加記述する制御ステップとを有することを特徴とするファイル管理方法。
【請求項５】
前記判断ステップにおけるファイルの指定は、ファイルに対するドラッグアンドドロップの操作により行われることを特徴とする請求項４記載のファイル管理方法。
【請求項６】
前記表示ステップにおいて、ユーザにより検索条件が追加された場合、前記追加された検索条件を加えて更に絞り込んだファイルグループを一覧表示するとともに、前記ユーザにより追加された検索条件を元々の検索条件を表す名前またはアイコンに関連させて表示することを特徴とする請求項４記載のファイル管理方法。
【請求項７】
請求項１乃至６のいずれか１項に記載のファイル管理方法をコンピュータに実行させることを特徴とするプログラム。
【請求項８】
ファイルを管理するファイル管理装置において、
予め登録された検索条件を表す名前またはアイコンを指定することにより、前記検索条件に該当するファイルグループを表示ユニットに一覧表示する表示手段と、
前記表示手段によって一覧表示されたファイルグループ以外のファイルが指定されたことを判断する判断手段と、
前記判断手段によって指定されたことが判断されたファイルを前記ファイルグループに追加するための条件を前記検索条件に追加記述する制御手段とを有することを特徴とするファイル管理装置。
【請求項９】
ファイルを管理するファイル管理装置において、
予め登録された検索条件を示す名前またはアイコンを指定することにより、前記検索条件に該当するファイルグループを表示ユニットに一覧表示する表示手段と、
前記表示手段によって一覧表示されたファイルグループの中から少なくとも１つのファイルが指定されたことを判断する判断手段と、
前記判断手段によって指定されたことが判断されたファイルを前記ファイルグループから除外するための条件を前記検索条件に追加記述する制御手段とを有することを特徴とするファイル管理装置。
【手続補正３】
【補正対象書類名】明細書
【補正対象項目名】０００１
【補正方法】変更
【補正の内容】
【０００１】
【発明の属する技術分野】
本発明は、ファイルを管理するファイル管理方法及び装置及びその装置を制御するためのプログラムに関する。
【手続補正４】
【補正対象書類名】明細書
【補正対象項目名】００１８
【補正方法】変更
【補正の内容】
【００１８】
本発明は、上述したような従来技術の有する問題点を解決するためになされたもので、その目的は、大量のファイルを効率的に検索することを可能にしたファイル管理方法及び装置及びプログラムを提供することである。
【手続補正５】
【補正対象書類名】明細書
【補正対象項目名】００１９
【補正方法】変更
【補正の内容】
【００１９】
【課題を解決するための手段】
上記目的を達成するために請求項１記載のファイル管理方法は、ファイルを管理するファイル管理方法において、予め登録された検索条件を表す名前またはアイコンを指定することにより、前記検索条件に該当するファイルグループを表示ユニットに一覧表示する表示ステップと、前記表示ステップにおいて一覧表示されたファイルグループ以外のファイルが指定されたことを判断する判断ステップと、前記判断ステップにおいて指定されたことが判断されたファイルを前記ファイルグループに追加するための条件を前記検索条件に追加記述する制御ステップとを有することを特徴とする。
また、上記目的を達成するために請求項４記載のファイル管理方法は、ファイルを管理するファイル管理方法において、予め登録された検索条件を示す名前またはアイコンを指定することにより、前記検索条件に該当するファイルグループを表示ユニットに一覧表示する表示ステップと、前記表示ステップにおいて一覧表示されたファイルグループの中から少なくとも１つのファイルが指定されたことを判断する判断ステップと、前記判断ステップにおいて指定されたことが判断されたファイルを前記ファイルグループから除外するための条件を前記検索条件に追加記述する制御ステップとを有することを特徴とする。
【手続補正６】
【補正対象書類名】明細書
【補正対象項目名】００２０
【補正方法】変更
【補正の内容】
【００２０】
また、上記目的を達成するために請求項７記載のプログラムは、請求項１乃至６のいずれか１項に記載のファイル管理方法をコンピュータに実行させることを特徴とする。
【手続補正７】
【補正対象書類名】明細書
【補正対象項目名】００２１
【補正方法】変更
【補正の内容】
【００２１】
また、上記目的を達成するために請求項８記載のファイル管理装置は、ファイルを管理するファイル管理装置において、予め登録された検索条件を表す名前またはアイコンを指定することにより、前記検索条件に該当するファイルグループを表示ユニットに一覧表示する表示手段と、前記表示手段によって一覧表示されたファイルグループ以外のファイルが指定されたことを判断する判断手段と、前記判断手段によって指定されたことが判断されたファイルを前記ファイルグループに追加するための条件を前記検索条件に追加記述する制御手段とを有することを特徴とする。
また、上記目的を達成するために請求項９記載のファイル管理装置は、ファイルを管理するファイル管理装置において、予め登録された検索条件を示す名前またはアイコンを指定することにより、前記検索条件に該当するファイルグループを表示ユニットに一覧表示する表示手段と、前記表示手段によって一覧表示されたファイルグループの中から少なくとも１つのファイルが指定されたことを判断する判断手段と、前記判断手段によって指定されたことが判断されたファイルを前記ファイルグループから除外するための条件を前記検索条件に追加記述する制御手段とを有することを特徴とする。
【手続補正８】
【補正対象書類名】明細書
【補正対象項目名】００２２
【補正方法】削除
【補正の内容】